(57)【要約】【課題】簡易な構造によって、ファンとベルマウスとの間で水滴が氷結することを防止することができる空気調和機の室外機等を提供すること。【解決手段】前面パネル１のファン２の吹出口３に内方に向かって突出するベルマウス４を設けるとともに、吹出口３の外方に吹出グリル５を設けた空気調和機の室外機であって、前面パネル１の吹出口３の周縁上部に、吹出口３の縁部から径方向に所定の幅を有する帯状の面３１を有し、帯状の面３１から外方に突出する庇部３２、３３を備えた庇部材３０を設け、庇部材３０を吹出グリル４によって前面パネル１側に押圧して取り付けた。この場合、庇部３２、３３は、帯状の面３１の外周側と内周側の周縁部に沿って対向して設けてある。【選択図】図３
2011094919.tif 000002
【特許請求の範囲】
【請求項１】
前面パネルのファンの吹出口に内方に向かって突出するベルマウスを設けるとともに、前記吹出口の外方に吹出グリルを設けた空気調和機の室外機であって、
前記前面パネルの吹出口の周縁上部に、該吹出口の縁部から径方向に所定の幅を有する帯状の面を有し、該帯状の面から外方に突出する庇部を備えた庇部材を設け、
前記庇部材を前記吹出グリルによって前面パネル側に押圧して取り付けたことを特徴とする空気調和機の室外機。
【請求項２】
前記庇部材をほぼ半円形状に形成し、前記庇部材の帯状の面を前記前面パネルの吹出口の周縁上部に沿って取り付けたことを特徴とする請求項１記載の空気調和機の室外機。
【請求項３】
前記庇部は、前記帯状の面の外周側と内周側の周縁部に沿って対向して設けられたことを特徴とする請求項１または２記載の空気調和機の室外機。
【請求項４】
前記帯状の面の前記内周側の周縁部に沿って設けられた庇部は連続して帯状に形成され、前記外周側の周縁部に沿って設けられた庇部は所定の間隔で帯状に形成されたことを特徴とする請求項３記載の空気調和機の室外機。
【請求項５】
前記吹出グリルは断面ほぼコ字状で外方に突出し前記前面パネル側に脚部を有する格子状をなし、前記吹出グリルの脚部の内周側に沿って前記内周側の庇部を配設するとともに、前記脚部の外周側に沿って前記外周側の庇部を配設し、前記吹出グリルに前記庇部を挟み込むようにしたことを特徴とする請求項３または４記載の空気調和機の室外機。
【請求項６】
前記庇部材の内周側の庇部の先端部は、前記吹出グリルの正面部分と隙間を介して配設されたことを特徴とする請求項３〜５のいずれかに記載の空気調和機の室外機。
【請求項７】
前記吹出グリルは、同心状に配設した渦巻鉄線と、これに対して放射状に配設された放射鉄線とからなり、前記放射鉄線の一部の外端部に吹出グリルの固定部を設けるとともに、他の放射鉄線に庇部材との接触部を設け、これらの固定部及び接触部により前記庇部を前記前面パネルに押圧して挟み込み、前記前面パネルとの間をシールしたことを特徴とする請求項１〜６のいずれかに記載の空気調和機の室外機。
【請求項８】
前記吹出グリルの固定部に対応して前記前面パネルに固定穴を設け、さらに該固定穴と連通して前記吹出し口の縁部に沿って径方向に一定の幅を有する凹部を設け、該凹部に前記庇部材の帯状の面が係止するようにしたことを特徴とする請求項７記載の空気調和機の室外機。
【請求項９】
前記庇部材の内周側の庇部は、前記前面パネルから外方に向かって吹出口側に傾斜するテーパー面を有することを特徴とする請求項３〜８のいずれかに記載の空気調和機の室外機。
【請求項１０】
前記庇部を難燃性プラスチックにより形成したことを特徴とする請求項１〜９のいずれかに記載の空気調和機の室外機。
【請求項１１】
請求項１〜１０のいずれかに記載の室外機を備えたことを特徴とする空気調和機。
【発明の詳細な説明】
【技術分野】
【０００１】
本発明は、空気調和機の室外機およびこれを備えた空気調和機に係り、より詳しくは、ファンとベルマウスとの間で水滴が氷結するのを防ぐことができる空気調和機の室外機およびこれを備えた空気調和機に関するものである。
【背景技術】
【０００２】
空気調和機の室外機において、暖房運転中に、雨や雪等により前面パネル表面に付いた水滴や、室外機の上部に積もっている雪が解けた水滴が、パネルの表面に沿って落下し、ベルマウスとファンの間に侵入することがある。また、外気温度が低い場合は、ファンの吹出空気温度が氷点以下となることがあり、そのような場合には、ベルマウスとファンとの間に侵入した水滴が氷結し、水滴の量が多いと、氷結した氷が成長してファンと接触して異常音を発生したり、ファンの回転を妨げて室外機が異常停止したりする場合がある。
【０００３】
このような問題を解決するために、吹出口の上方に、吹出口の径以上の幅を有しケーシングと吹出グリルの間をシールするシール部材を設け、水滴がこの部分からベルマウスに流れ込まないようにした空気調和機の室外機が提案されている（例えば、特許文献１参照）。
【先行技術文献】
【特許文献】
【０００４】
【特許文献１】特許第２５１００７８号公報（第２頁、図１）
【発明の概要】
【発明が解決しようとする課題】
【０００５】
特許文献１の発明において、ケーシングと吹出グリル上部の間をシール部材によりシールする場合、鉄線を溶接したグリルの外周、少なくとも上辺において額縁状の縁が必要であり、このため外観意匠性を損なうばかりでなく、鉄線部分に板状の部品を組み合わせなければならないため、製造コストも高くなってしまう。
【０００６】
また、吹出グリルの両端部のみの固定では中央部分の隙間を塞ぐことが難しいため、吹出グリルの固定ネジを増加しなければならず、このため、外観性、作業性が悪化するという問題があった。
【０００７】
さらに、ネジ固定箇所を削減する手段として、両端部のみを固定して中間部分はグリル自体の弾性を利用して押し当てることで、ガタツキや振動音の発生を抑制するようにしているが、この場合は、グリル自体の弾性により、両端部から中央部にかけてたわんだ状態で固定されるため、グリルと前面パネルとの間をシールする場合に、シール部材の形状が曲線となり、確実にシールすることが難しかった。
【０００８】
また、シール部材に厚さと同程度の幅が必要であるため、グリルの上面の位置よりも１０ｍｍ以上下がった位置に壁ができることになり、このため、製品サイズの小型化と性能改善のためにファンの径を最大限に設定する製品の設計上、特に上辺の中央部においてシール部材が風路側に突出してファンからの吹き出しを阻害する構造となり、騒音の発生や空力性能の阻害要因となっていた。
【０００９】
本発明は、上記のよう課題を解決するためになされたもので、簡易的な構造によって、ファンとベルマウスとの間で水滴が氷結することを防止することができる空気調和機の室外機およびこれを備えた空気調和機を提供するものである。
【課題を解決するための手段】
【００１０】
本発明に係る空気調和機の室外機は、前面パネルのファンの吹出口に内方に向かって突出するベルマウスを設けるとともに、吹出口の外方に吹出グリルを設けた空気調和機の室外機であって、
前面パネルの吹出口の周縁上部に、吹出口の縁部から径方向に所定の幅を有する帯状の面を有し、帯状の面から外方に突出する庇部を備えた庇部材を設け、庇部材を吹出グリルによって前面パネル側に押圧して取り付けたものである。
また、本発明に係る空気調和機は、上記の室外機を備えたものである。
【発明の効果】
【００１１】
パネルの表面に沿って落下した水滴は庇部材によって前面パネルよりも外方から滴下し、ファンとベルマウスとの間に侵入することがないため、簡易な構造であるにもかかわらず、ファンとベルマウスとの間で氷結が生じることがない。
【図面の簡単な説明】
【００１２】
【図１】本発明の一実施の形態に係る空気調和機の斜視図である。
【図２】図１の要部の正面図である。
【図３】図１の要部の斜視図である。
【図４】図１の要部の分解斜視図である。
【図５】図４の要部の斜視図である。
【図６】図１の庇部材を表側から見た斜視図及びそのＡ−Ａ断面図である。
【図７】図１の庇部材を裏側から見た斜視図である。
【図８】図２のＢ−Ｂ断面図である。
【発明を実施するための形態】
【００１３】
図１〜図５において、空気調和機の室外機の前面パネル１にはプロペラファン２の吹出口３が設けられており、この吹出口３には、内方に向かって突出する円形のベルマウス４が設けられ、また吹出口３の外方には格子状に形成された吹出グリル５が取り付けられている。
【００１４】
吹出グリル５は、鉄線を同心状に配設した渦巻鉄線１０と、これに対して放射状に配設された放射鉄線１１とからなり、渦巻鉄線１０は放射鉄線１１の内側で放射鉄線１１と接合されている。なお、吹出グリル５の中央部付近は円形に開口され、この部分には鉄線は設けられていない。
【００１５】
放射鉄線１１は、上下方向（上下放射鉄線１１１）、左右方向（左右放射鉄線１１２）及び斜め方向（斜め放射鉄線１１３、１１４）に等角で、かつ吹出口３の前面側では前面パネル１の面に対してほぼ平行になるように配設され、周縁側では前面パネル１側にほぼ直角に折り曲げられて脚部５ａが形成されている。
【００１６】
そして、吹出口前面側の放射鉄線１１には細径の渦巻鉄線（前面渦巻鉄線１０１）が平面状に取り付けられ、吹出口周縁側の放射鉄線１１には前面渦巻鉄線１０１よりも太い径の渦巻き鉄線（周縁渦巻鉄線１０２）が取り付けられている。こうして、吹出グリル５は、全体として断面ほぼコ字状で前面パネル１側に複数の脚部５ａが形成されている。なお、周縁渦巻鉄線１０２は、放射鉄線１１の脚部５ａの折り曲がり部、及び前面パネル１側の２個所に取り付けられている。
【００１７】
上下放射鉄線１１１の脚部５ａの外端部には、前面パネル１にねじ固定するためのねじ固定部１１１ａが設けられており、前面パネル１にはこれに対応してねじ穴６が形成されている。そして、ねじ固定部１１１ａとねじ穴６とを合わせてねじ７を締め付け、上下放射鉄線１１１を前面パネル１に固定する。前面パネル１のねじ穴６はねじ固定部１１１ａの厚さだけ凹んで形成され、ねじ７を前面パネル１に取り付けたとき、ねじ固定部１１１ａの表面高さは前面パネル１の表面とほぼ同一平面になるようにしてある。
なお、吹出し口３の上半分の周縁上部には、吹出し口３の縁部から径方向に一定の幅を有しねじ穴６と同じ深さの帯状の半円凹部８が形成されており、ねじ穴６と連通している。
【００１８】
左右放射鉄線１１２の脚部５ａの外端部は、前面パネル１に挿入するためにさらに折り曲げられて係止部１１２ａが設けられており、前面パネル１にはこの係止部１１２ａに対応して係止穴９が設けられている。係止穴９はＵ字状の凹部を持ち、前面が開口されて左右放射鉄線１１２の係止部１１２ａが挿入され係止される。
【００１９】
吹出グリル５と前面パネル１は、空気調和機の運転中に発生する振動によって振動音が発生することがあるため、斜め放射鉄線１１３、１１４の脚部５ａの外端部には、鉄線が庇部材３０（後に詳述）と干渉する位置まで延長されて接触する放射鉄線延長部１１３ａ、１１４ａが設けられており、鉄線で構成された吹出グリル５が撓んで反発力を発生させることでガタツキを防止するようにしてある。
【００２０】
吹出グリル５の上側には脚部５ａに沿って半円状の庇部材３０が配設されており、この庇部材３０は、吹出しグリル５の放射鉄線１１の端部に設けたねじ固定部１１１ａ、延長部１１２ａ、放射鉄線延長部１１３ａ、１１４ａによって、前面パネル１側に押圧されて固定されている。
【００２１】
この庇部材３０は、図６〜図８に示すように、難燃性プラスチックを素材としており、吹出し口３の上側の周縁部とほぼ同じ曲率で、吹出口３の縁部から径方向に所定の幅を有する帯状の面３１を有し、帯状の面３１の内周側には吹出グリル５の周縁渦巻き鉄線１０２（脚部５ａ）の内径側に沿って内周庇部３３が樋状に配設され、また、帯状の面３１の外周側には周縁渦巻き鉄線１０２（脚部５ａ）の外径側に沿って所定の間隔で複数の外周庇部３２が樋状に設けられており、これらの庇部３２、３３は左右端に向かって下り勾配を持つ。
【００２２】
内周庇部３３は吹出口３の周縁部に沿って連続して帯状に形成され、前面パネル１の外方に向かって前面パネル１の面とほぼ直交して位置しており、また、外周庇部３２は吹出口３の周縁部に沿って所定の間隔で形成され、それぞれが前面パネル１の外方に向かって前面パネル１の面とほぼ直交して位置している。そして、上下放射鉄線１１１の左右に一対の外周庇部３２ａが位置し、左右放射鉄線１１２の上部にもそれぞれ外周庇部３２ｂが位置している（図３、図６）。そして、吹出グリル５の周縁渦き巻鉄線１０２（吹き出しグリル５の脚部５ａ）は、外周庇部３２と内周庇部３３との間に挿入されている。
【００２３】
庇部材３０の帯状の面３１の裏側は、前面パネル１に接触する面として平面状に形成され、この平面部３１ａを前面パネル１の吹出口３の周縁部、すなわち帯状の半円凹部８に押し当てることで水密状態となるようにしてある（図５、図７、図８参照）。
【００２４】
そして、庇部材３０は、図８に示すように、前面パネル１と吹出グリル５との間に挟み込まれて固定されるが、この際、庇部３０（外周庇部３２及び内周庇部３３）の先端は前面パネル１から十分離すようにしてあり、さらに、その内周庇部３３の先端３３ａは吹出グリル５の放射鉄線１１の内側とも２ｍｍ〜１０ｍｍ程度の隙間Ｇを設けてある。
このように、室外機の上部から前面パネル１の表面を伝わって流れ落ちる水滴が、庇部材３０の樋状となった庇部材３０（外周庇部３２及び内周庇部３３）に乗って、前面パネル１の表面から前方に離れた位置に滴下する。
【００２５】
なお、図８に示すように、庇部材３０の帯状の面３１は、吹出し口３側で前面パネル１から外方に向かって下り勾配を持つ。すなわち、前面パネル１と庇部材３０の密着面から下側に庇部材３０が突出する風路突出部３４にテーパー面３４ａを形成しており、庇部材３０が吹出し口３の風路に突出する量を最小限としながら、風路を滑らかにして、風の吹き出しを阻害しないようにしてある。
【００２６】
上記のように構成した本発明の作用を説明する。
吹出グリル５の脚部５ａを庇部材３０の外周庇部３２と内周庇部３３との間に挿入して、庇部材３０を吹出グリル５に挟み込み、庇部材３０の裏面側の平面部３１ａを前面パネル１の吹出口３の周縁部、詳しくは帯状の半円凹部８に押し当て、この状態で、左右放射鉄線１１２の延長部１１２ａを前面パネル１の挿入穴９に挿入し、次に、上下放射鉄線１１１のネジ固定部１１１ａと前面パネル１のネジ穴６を合わせ、ネジ７を締めて、放射鉄線１１を前面パネル１に固定する。こうして、庇部材３０を、図８に示すように、前面パネル１との間に挟み込み込んでシールする。
【００２７】
冬期暖房運転中に雨や雪等により前面パネル表面に付いた水滴や、室外機の上部に積もった雪が解けた水滴は、パネルの表面に沿って落下する。落下した水滴は、庇部材３０の樋状の外周庇部３２及び内周庇部３３に乗って、前面パネル１の表面から前方に離れた位置に滴下する。前面パネル１よりも外方から滴下するので、ファン２とベルマウス３との間に侵入することはない。
【００２８】
実施の形態によれば、パネルの表面に沿って落下した水滴は庇部材３０によって前面パネル１よりも外方から滴下し、ファン２とベルマウス５との間に侵入することがないため、外気温度が低くてファン２の吹出空気温度が氷点以下になった場合でも、ファン２とベルマウス５との間で氷結が生じることがなく、氷結によるファン２の異常音発生を防止することができる。
【００２９】
また、庇部材３０を吹出グリル５に予め挟み込み、庇部材３０と吹出グリル５を前面パネル１にねじ１７で固定したので、ねじ数を増加させることなく、作業性も良好で、低コストである。
【００３０】
さらに、放射状鉄線１１に、庇部材３０と干渉する位置まで延長して庇部材３０と接触する放射状鉄線延長部１１３ａを設けたので、鉄線で構成された吹出グリル５が撓み反発力を発生させてガタツキを防止するとともに、前面パネル１に確実に密着させることができる。
【００３１】
また、前面パネル１と庇部材３０との密着面から下側の風路突出部３４に、テーパー面３４ａを形成したので、庇部材３０が風路に突出する量を最小限にして、風の吹き出しへの阻害を軽減することができる。
【００３２】
さらに、庇部材３０は、吹出グリル５の上部に半円状に配置されているため、外観上目立ちにくく、意匠性を阻害することがない。
【００３３】
また、庇部材３０の素材を難燃性プラスチックとしたので、室外機の周囲で生じた火災からの延焼を防ぎ、また、本体の電気品部分からのスパーク等が発生した場合でも、外部に延焼することがない。
【符号の説明】
【００３４】
１  前面パネル、２  ファン、３  吹出口、４  ベルマウス、５  吹出グリル、５ａ  吹出グリルの脚部、６  ねじ穴（固定穴）、８  帯状の半円凹部（凹部）、１０  渦巻鉄線、１１  放射鉄線、３０  庇部材、３１  庇部材の帯状の面、３２  外周庇部、３３  内周庇部、３３ａ  内周庇部の先端、３４ａ  テーパー面、１１１ａ  ねじ固定部（吹出グリルの固定部）、１１３ａ  放射鉄線延長部（庇部材との接触部）、Ｇ  隙間。
【図１】
2011094919.tif 000003
【図２】
2011094919.tif 000004
【図３】
2011094919.tif 000005
【図４】
2011094919.tif 000006
【図５】
2011094919.tif 000007
【図６】
2011094919.tif 000008
【図７】
2011094919.tif 000009
【図８】
2011094919.tif 000010